(57)【要約】【課題】雨水による屋内への漏水を引き起こすことなく、比較的簡易かつ低コストでスレート屋根の一部分に安全な作業スペースを形成する技術を提供する。【解決手段】波形のスレート板36を複数配置したスレート屋根12の表面に、金網よりなる歩廊材14を配置する工程と、この歩廊材14の表面に、貫通孔18を備えた押え部材16を複数配置する工程と、スレート板36の頂部から外部に突出した既設のフックボルト20を、歩廊材14の網目及び押え部材16の貫通孔18に挿通させ、その先端にプッシュナット22を装着することにより、押え部材16を固定する工程とからなる軒先点検用歩廊10の形成方法。【選択図】図１
2018003504.tif 000002
【特許請求の範囲】
【請求項１】
波形のスレート板を複数配置したスレート屋根の表面に、金網よりなる歩廊材を配置する工程と、
この歩廊材の表面に、貫通孔を備えた押え部材を複数配置する工程と、
上記スレート板の頂部から外部に突出した既設のフックボルトを、上記歩廊材の網目及び上記押え部材の貫通孔に挿通させ、その先端にプッシュナットを装着することにより、押え部材を固定する工程と、
からなる軒先点検用歩廊の形成方法。
【請求項２】
波形のスレート板を複数配置したスレート屋根の表面に、金網よりなる歩廊材を配置する工程と、
この歩廊材の表面に、貫通孔を備えた押え部材を複数配置する工程と、
ゴムパッキンを装着したドリルネジを、上記押え部材の貫通孔及び上記歩廊材の網目に挿通させると共に、上記スレート板の頂部を貫通して母屋に螺合させる工程とからなり、
上記ゴムパッキンが、上記スレート板の頂部と押え部材との間に配設されていることを特徴とする軒先点検用歩廊の形成方法。
【請求項３】
波形のスレート板を複数配置したスレート屋根の表面に、金網よりなる歩廊材を配置する工程と、
この歩廊材の表面に、貫通孔を備えた押え部材を複数配置する工程と、
上記スレート板の頂部から外部に突出した既設のフックボルトを、上記歩廊材の網目及び上記押え部材の貫通孔の一部に挿通させ、その先端にプッシュナットを装着することにより、押え部材の一部を固定する工程と、
ゴムパッキンを装着したドリルネジを、上記押え部材の残りの貫通孔及び上記歩廊材の網目に挿通させると共に、上記スレート板の頂部を貫通して母屋に螺合させる工程とからなり、
上記ゴムパッキンが、上記スレート板の頂部と押え部材との間に配設されていることを特徴とする軒先点検用歩廊の形成方法。
【発明の詳細な説明】
【技術分野】
【０００１】
この発明は、軒先点検用歩廊の形成方法に関し、特に、波形スレート屋根の軒先部分に、点検用スペースとしての歩廊を設置する技術に関する。
【背景技術】
【０００２】
工場や倉庫、体育館等の大型の建物の屋根材として、波形のスレート板が広く用いられるようになって久しく、老朽化したスレート板を取り外すことなく屋根全体を補修する技術も種々実用化されている。
例えば、特許文献１においては、スレート屋根の表面上に突出したフックボルトの座金とスレート板との間にクランプ金具を打ち込み装着した上で、スレート屋根上に複数枚の金属板屋根材を被せ、これらをクランプ金具にネジ止めする屋根補修工法が開示されている。
【０００３】
この屋根補修工法の場合、スレート屋根全体を新たな金属板屋根材で覆うことが基本となるため、建物の使用を中断させる必要が無く、また金属板屋根材は屋根の表面に突出した既設のフックボルトにクランプ金具を介して係合されるため、スレート屋根に穴開け等の加工を施す必要がないという利点を備えている。
【０００４】
【特許文献１】特開平１０−２１９９３６号
【発明の概要】
【発明が解決しようとする課題】
【０００５】
他方で、スレート屋根自体は老朽化していないため上記のように全面的な補修をする必要はないが、その一部分に金属板屋根材を敷設することにより、作業スペースを形成したいという要望が存在している。
例えば、建物の屋根に設置されたエアコンの室外機等を点検するため、波形スレート屋根の軒先部分に金属板屋根材を設置し、歩廊として利用するような用途である。
このようにすれば、脆弱な波形スレート屋根の上や、滑りやすい雨樋の上に作業員が立って点検をしている現状に比べて、高い安全性が確保されることは間違いない。
【０００６】
しかしながら、既設のスレート屋根の一部分に金属板屋根材を敷設するとなると、雨水が金属板屋根材とスレート板との間から侵入し、クランプ金具の打ち込みによって生じたフックボルトとスレート板との隙間から屋内に漏水することが懸念される。
【０００７】
また、重い金属板屋根材をステート屋根の上に設置するとなると、これを支えるために丈夫な下地材をスレート屋根の表面に組み付ける必要があり、比較的大掛かりな作業と高額な費用を要することとなる。
【０００８】
この発明は、このような問題を解決するために案出されたものであり、雨水による屋内への漏水を引き起こすことなく、また比較的簡易かつ低コストで、スレート屋根の一部分に安全な作業スペースを形成する技術を提供することを目的としている。
【課題を解決するための手段】
【０００９】
上記の目的を達成するため、請求項１に記載した軒先点検用歩廊の形成方法は、波形のスレート板を複数配置したスレート屋根の表面に、金網よりなる歩廊材を配置する工程と、この歩廊材の表面に、貫通孔を備えた押え部材を複数配置する工程と、上記スレート板の頂部から外部に突出した既設のフックボルトを、上記歩廊材の網目及び上記押え部材の貫通孔に挿通させ、その先端にプッシュナットを装着することにより、押え部材を固定する工程とからなることを特徴としている。
【００１０】
請求項２に記載した軒先点検用歩廊の形成方法は、波形のスレート板を複数配置したスレート屋根の表面に、金網よりなる歩廊材を配置する工程と、この歩廊材の表面に、貫通孔を備えた押え部材を複数配置する工程と、ゴムパッキンを装着したドリルネジを、上記押え部材の貫通孔及び上記歩廊材の網目に挿通させると共に、上記スレート板の頂部を貫通して母屋に螺合させる工程とからなり、上記ゴムパッキンが、上記スレート板の頂部と押え部材との間に配設されていることを特徴としている。
【００１１】
請求項３に記載した軒先点検用歩廊の形成方法は、波形のスレート板を複数配置したスレート屋根の表面に、金網よりなる歩廊材を配置する工程と、この歩廊材の表面に、貫通孔を備えた押え部材を複数配置する工程と、上記スレート板の頂部から外部に突出した既設のフックボルトを、上記歩廊材の網目及び上記押え部材の貫通孔の一部に挿通させ、その先端にプッシュナットを装着することにより、押え部材の一部を固定する工程と、ゴムパッキンを装着したドリルネジを、上記押え部材の残りの貫通孔及び上記歩廊材の網目に挿通させると共に、上記スレート板の頂部を貫通して母屋に螺合させる工程とからなり、上記ゴムパッキンが、上記スレート板の頂部と押え部材との間に配設されていることを特徴としている。
【発明の効果】
【００１２】
請求項１に記載した軒先点検用歩廊の形成方法の場合、従来のようにフックボルトにクランプ金具を打ち込む必要がなく、押え部材の貫通孔から突出しているフックボルトにプッシュナットを装着することによって歩廊材がスレート屋根上に固定されるため、フックボルトとスレート屋根の隙間から屋内に漏水するおそれがない。
【００１３】
これに対し、請求項２及び３に記載した軒先点検用歩廊の形成方法の場合には、ドリルネジによってスレート板に穴が開けられることになるが、ゴムパッキンがスレート板の頂部と押え部材との間に配設されることにより、漏水の発生を有効に回避することができる。
また、この工法の場合、フックボルトの位置に拘束されることなく、スレート屋根上の任意の位置に押え部材を固定することが可能となる利点がある。
【００１４】
何れの場合も歩廊材は金網よりなり、金属板を用いる場合に比べて軽量で済むため、上記のような比較的簡易な固定方法でも安全な作業スペースとして十分に機能することができ、設置費用の低コスト化を実現できる。
【発明を実施するための最良の形態】
【００１５】
図１は、この発明に係る軒先点検用歩廊10の全体構成を示す斜視図であり、スレート屋根12の軒先部分に設置された矩形状の歩廊材14と、この歩廊材14を固定する複数の押え部材16とを備えている。
【００１６】
上記歩廊材14は、ステンレス等の金属よりなる複数本の線材を縦横に配置し、交差部分を溶接したファインメッシュより構成される。ただし、ファインメッシュの代わりに、平織金網やクリンプ金網を用いることもできる。
比較的大きい１枚のファインメッシュで歩廊材14を構成してもよいが、複数枚のファインメッシュを用いて必要な面積の歩廊材14を構成することもできる。
【００１７】
上記押え部材16は、アルミ亜鉛合金めっき鋼板等よりなるＬ型アングル材によって構成される。
押え部材16の両端部には貫通孔18が設けられており、図２に示すように、スレート屋根12の波の頂部から表面に突出しているフックボルト20をこの貫通孔18に挿通させ、先端に貫通孔18の幅よりも径大なプッシュナット22を装着することにより、押え部材16はフックボルト20に固定される。
貫通孔18は、フックボルト20の直径に比べてだいぶ縦長に形成されているため、フックボルト20の位置が縦に多少ずれていても柔軟に対応できる。
この作業は、スレート屋根12の軒先近傍に組み上げられた足場32に立って実施される。
【００１８】
フックボルト20は、図３に示すように、屋根の母屋34にスレート板36を係合するためのものであり、その先端にはフェルト38及び座金40が挿通されると共に、ナット42が螺合されている。
図示の通り、ナット42と、押え部材16及びプッシュナット22によって、歩廊材14は挟持されている。
【００１９】
この図においては、一対の歩廊材14, 14の繋ぎ目部分に押え部材16が配置されている例が示されており、一方の歩廊材14の端部と他方の歩廊材14の端部との重複部が、フックボルト20のナット42と、押え部材16及びプッシュナット22によって固定されている。
因みに、一方の歩廊材14の突出し線44が折り曲げられ、他方の歩廊材14の線材46に絡み付けられている。
【００２０】
この工法の場合、フックボルト20にクランプ金具を打ち込む必要がなく、プッシュナット22をフックボルト20に装着することによって歩廊材14がスレート屋根12の上に強固に固定されるため、フックボルト20とスレート屋根12の隙間から屋内に漏水することがなく、作業の簡素化も図れる。
【００２１】
また、歩廊材14がファインメッシュ等の金属製網材よりなるため、軽量でありながらも作業員の体重をしっかりと下支えすることができ、スレート屋根12の踏み抜き事故の発生を回避できる。
【００２２】
図４は、フックボルト20の存在しない箇所に押え部材16を配置する場合の固定方法を示すものである。
この場合、まず、スレート屋根12の波の頂部に、貫通孔を備えたフェルト38、座金40及びゴムパッキン50を載置しておき、その上に歩廊材14及び押え部材16を配置する。
【００２３】
つぎに、絞り座52及びフェルト54を備えたドリルネジ56を、押え部材16の貫通孔18、歩廊材14の網目、ゴムパッキン50、座金40及びフェルト38の各貫通孔に挿通させ、スレート屋根12の波の頂部を貫通させて母屋34にネジ止めする。
この場合、ドリルネジ56によってスレート板36に穴が開けられることになるが、ゴムパッキン50がドリルネジ56の途中に挿通されることにより、漏水の発生を有効に回避することができる。
【００２４】
この工法によれば、既設のフックボルト20の位置に拘束されることなく、スレート屋根12上の任意の位置に押え部材16を固定することが可能となり、歩廊材14の設置に際しての自由度が増すこととなる。
もちろん、押え部材16の一部の貫通孔18についてはフックボルト20を挿通させてプッシュナット22で固定し、残りの貫通孔18についてはドリルネジ56によって固定することもできる。
【図面の簡単な説明】
【００２５】
【図１】この発明に係る軒先点検用歩廊の全体構成を示す斜視図である。
【図２】押え部材の固定方法を示す拡大斜視図である。
【図３】プッシュナット、押え部材、歩廊材及びフックボルトの係合状態を示す側面図である。
【図４】押え部材の他の係合方法を示す側面図である。
【符号の説明】
【００２６】
10    軒先点検用歩廊
12    スレート屋根
14    歩廊材
16    押え部材
18    貫通孔
20    フックボルト
22    プッシュナット
32    足場
34    母屋
36    スレート板
38    フェルト
40    座金
42    ナット
44    突出し線
46    線材
50    ゴムパッキン
52    絞り座
54    フェルト
56    ドリルネジ
【図１】
2018003504.tif 000003
【図２】
2018003504.tif 000004
【図３】
2018003504.tif 000005
【図４】
2018003504.tif 000006